(57)【要約】      （修正有）【課題】壁紙貼りつけ作業等における接着剤容器の載置と取り外しが簡単であり、接着剤を直ちに吐出させることができる接着剤容器保持用台を提供する。【解決手段】接着剤容器保持用台１０は、床面上に載置される三脚台１１と、三脚台に一体となって立設された支柱２１と、支柱２１の上端に傾動可能に取り付けられて、筒状の接着剤容器３５を載置可能な容器載置部２７と有する。容器載置部２７は、棒材の両端が同一方向に折り曲げられた一対の曲げ部２９を有する基部２８と、一対の曲げ部２９の先端に取り付けられて基部２８の長手方向に延びた薄肉の半円筒状で上方に開放状態で配設された第１及び第２載置部材３１，３３とを設けている。第１載置部材３１は、外側端が同一断面形状の半円形の封止板３２を設けており、内側端は開放されている。封止板は、上縁の中心において略半円形状に切欠かれた挿入凹部を設けている。【選択図】図１
0003144912.tif 000002
【実用新案登録請求の範囲】
【請求項１】
床面上に載置される台部と、該台部に立設された支柱と、該支柱の上端に固定されて傾斜調節可能にされた筒状の接着剤容器を載置可能な容器取付部とを有する接着剤容器保持用台であって、該容器取付部が、棒材の両端が同一方向に折り曲げられて上方を向いた一対の曲げ部を有する基部と、該一対の曲げ部の先端に取り付けられて該基部の長手方向に沿って延びた半筒状で上方に開放状態で互いに離間して配設された第１及び第２載置部材とを設け、該第１及び第２載置部材の少なくとも一方の外側端に封止板を設けたことを特徴とする接着剤容器保持用台。
【請求項２】
前記封止板が、上縁側から切欠かれた前記接着剤容器の棒状の吐出部が嵌合可能な凹部を有することを特徴とする請求項１に記載の接着剤容器保持用台。
【請求項３】
前記支柱が、高さ調節可能であることを特徴とする請求項１又は２に記載の接着剤容器保持用台。
【請求項４】
前記台部が、三脚台であることを特徴とする請求項１〜３のいずれか１項に記載の接着剤容器保持用台。
【請求項５】
前記三脚台の脚の長さあるいは傾きが調節可能であることを特徴とする請求項４に記載の接着剤容器保持用台。
【考案の詳細な説明】
【技術分野】
【０００１】
本考案は、壁紙貼り付け作業等に用いられるプラスチック製等の柔軟な接着剤容器を取り外し可能に載置できる接着剤容器保持用台に関する。
【背景技術】
【０００２】
従来、作業者が立った状態であるいは脚立等に乗った状態で接着剤容器を手で持って壁紙貼りつけ作業等に行う場合、接着剤容器を使用しないときは作業で両手を使用するため手で持つことはできず床面に置く必要があった。そのため、接着剤容器を使用するときは、一々床面に置かれた接着剤容器を手で取って使用する必要があり、そのための手間が非常に煩雑であった。さらに、接着剤容器内の接着剤については、使用時に直ちに容器の吐出口から供給されることが要求されるが、床面上に水平状態で接着剤容器を放置することにより、粘度の高い接着剤が容器内で均されて、接着剤を吐出させるのに時間を要するため、作業の能率が低下するという問題もある。特に冬季のような外気温が低下する場合には、接着剤の流動性が一層低下することにより、作業の能率が一層低下することになる。
【０００３】
例えば、特許文献１に示す三脚スタンドでは、直立部分の上端にカメラ、ビデオ機器、望遠鏡、測量器具、楽器のような種々の物品や器具を取り付けるための取付器具を固定している。しかし、この取付器具は、別途取り付けられるカメラ等の物品を外れないように固定させるものであり、単に物品を取り外し可能なように載せるものではない。
【特許文献１】特開平６−５８４８９号公報
【考案の開示】
【考案が解決しようとする課題】
【０００４】
本考案は、上記問題を解決しようとするもので、柔軟な接着剤容器を用いた壁紙貼りつけ作業等において、接着剤容器の載置と取り外しが簡単であり、接着剤を直ちに吐出させることができる接着剤容器保持用台を提供することを目的とする。
【課題を解決するための手段】
【０００５】
上記目的を達成するために、本考案の構成上の特徴は、床面上に載置される台部と、台部に立設された支柱と、支柱の上端に固定されて傾斜調節可能にされた筒状の接着剤容器を載置可能な容器取付部とを有する接着剤容器保持用台であって、容器取付部が、棒材の両端が同一方向に折り曲げられて上方を向いた一対の曲げ部を有する基部と、一対の曲げ部の先端に取り付けられて基部の長手方向に沿って延びた半筒状で上方に開放状態で互いに離間して配設された第１及び第２載置部材とを設け、第１及び第２載置部材の少なくとも一方の外側端に封止板を設けたことにある。なお、接着剤容器としては、同様の構造の建物の外壁のメジを塗布するためのコーキングガン等も含まれる。
【０００６】
上記のように構成した本考案においては、壁紙貼りつけ作業等のように、片手で接着剤容器を持って接着剤を吐出させて塗布し、さらに両手で壁面を整えるような場合に、支柱上端の第１及び第２載置部材に載置された接着剤容器を、第１載置部材と第２載置部材の間の空間に手を差し込んで下側から接着剤容器の中間位置を把持して、そのまま作業を行うことができる。また、接着剤容器を使い終わったときは、第１及び第２載置部材に簡単に載置することができる。その結果、本発明においては、接着剤容器の取り扱いが非常に簡易にされるため、作業の煩雑さが回避され、作業効率が高められる。また、本発明においては、第１及び第２載置部材を所定角度に傾斜させることができ、吐出口を下にして接着剤容器を傾斜させることができるため、内部に収容された接着剤が自然に吐出口側に移動するようになる。その結果、本発明においては、作業者が接着剤容器を手で把持したとき、接着剤容器内で接着剤が吐出口近くに集められているため、接着剤を直ちに吐出させることができ、作業が円滑に行われる。また、第１及び第２載置部材のうちの下方に位置するものの下端側を封止板で仕切ったことにより、吐出口を下にして載せた接着剤容器が封止板によって第１及び第２載置部材から落下しないように防止される。
【０００７】
また、本考案において、封止板が、上縁側から切欠かれた接着剤容器の棒状の吐出部が嵌合可能な凹部を有することが好ましい。これにより、接着剤容器の棒状の吐出部が封止板の凹部に嵌合されるため、接着剤容器が第１あるいは第２載置部材に緊密に接触して安定に載置され、接着剤容器の第１及び第２載置部材からの脱落が避けられる。
【０００８】
また、本考案において、支柱が、高さ調節可能であることが好ましい。これにより、作業位置が高いところでも床面近くでも、高さに応じて支柱高さを調節することにより容易に対応できる。
【０００９】
また、本考案において、台部が、三脚台であることが好ましい。これにより、支柱が三脚台により安定して支持されるため、接着剤容器の支持も安定して行われる。さらに、三脚台の脚の長さあるいは傾きが調節可能であることが好ましい。これにより、作業場所の床面が傾いているような場合でも、三脚台の脚の長さや傾きを調節することにより、支柱を鉛直方向に向けさせることができ便利である。
【考案の効果】
【００１０】
本考案によれば、支柱上端側に設けた第１及び第２載置部材上に載置された接着剤容器を、第１載置部材と第２載置部材の間の空間に手を挿入して下側から接着剤容器の中間位置を把持して、そのまま作業を行うことができ、接着剤容器の使用後は、第１及び第２載置部材上に簡単に載置することができるため、接着剤容器の取り扱いが非常に簡易にされ、作業効率が高められる。また、本発明においては、接着剤容器を吐出口を下にして傾斜させることにより、内部に収容された接着剤が自然に吐出口側に移動するため、作業時に、吐出口近くに集められた接着剤を直ちに吐出させることができる。さらに、第１及び第２載置部材のうちの下方に位置するものの下端側を封止板で仕切ったことにより、吐出口を下にして載せた接着剤容器が封止板によって第１及び第２載置部材から落下しないようにされる。
【考案を実施するための最良の形態】
【００１１】
以下、本考案の一実施例について図面を用いて説明する。図１は、一実施例である接着剤容器が載置された接着剤容器保持用台１０を正面図により概略的に示したものである。図２から図４は、容器載置部を拡大して正面図、平面図及び左側面図により示したものである。接着剤容器保持用台１０は、床面上に載置される三脚台１１と、三脚台１１に一体となって立設された支柱２１と、支柱２１の上端に傾斜調節可能に取り付けられた筒状の接着剤容器３５を載置可能な容器載置部２７と有する。
【００１２】
三脚台１１は、筒状のクランプ部１２を有しており、クランプ部１２は、その下端側の周方向の等間隔な３か所にて突出した３つのヒンジ１２ａを一体で設けており、上端側の周方向の一か所に螺合された固定用ビス１３を設けている。各ヒンジ１２ａには、それぞれ長尺平板状の脚部材１４が回動可能に取り付けられている。脚部材１４は、上側部１４ａと下側部１４ｂとがつなぎ合わされており、両者は長さ方向に摺動可能に重ね合わされて、上側部１４ａの下端に設けたねじ１４ｃにより固定されるようになっている。そのため、脚部材１４は、上側部１４ａと下側部１４ｂの重ね合わせ長さの調節により全体長さを変更可能になっている。また、３本の脚部材１４の上側部１４ａの長手方向中間位置には、それぞれ長尺状の連結カラー１５が回動可能に取り付けられている。三脚台１１のクランプ部１２の下方には、筒状の下クランプ部１６が配置されている。下クランプ部１６は、上側の周方向の等間隔な３か所にて突出した３つのヒンジ１６ａを一体で設けており、周方向の一か所に固定用ビス１７が設けられている。３本の連結カラー１５の他端側は３つのヒンジ１６ａにそれぞれ回転可能に取り付けられている。これにより、三脚台１１は、連結カラー１５ａをすぼめることにより３本の脚部材１４が折り畳まれてまとめられる。
【００１３】
三脚台１１のクランプ部１２及び下クランプ部１６には支柱２１が挿入されている。支柱２１は、大径の下柱部２２と、下柱部２２の内部に摺動可能に差し込まれた中間柱部２３と、中間柱部２３に摺動可能に差し込まれた上柱部２４とを有している。下柱部２２は、クランプ部１２及び下クランプ部１６に挿入されて、それぞれ固定用ビス１３，１７によりクランプ部１２及び下クランプ部１６に固定されている。下柱部２２の上端には固定部２２ａが一体で設けられており、固定部２２ａによって中間柱部２３は下柱部２２に固定されるようになっている。中間柱部２３の上端には固定部２３ａが一体で設けられており、固定部２３ａによって上柱部２４は中間柱部２３に固定されるようになっている。支柱２１は、中間柱部２３と上柱部２４の長さを固定部２２ａ，２３ａで調節することにより高さ調節できる。
【００１４】
上柱部２４の上端には傾斜固定部２５が設けられている。傾斜固定部２５は、円板状でかつ厚さ方向中間部分が上端側から切欠かれた凹部２５ａを有しており、その円形中心を中心として回転可能になっており、ボルト２５ｂによって任意の回転位置で上柱部２４に固定されるようになっている。凹部２５ａには、後述する容器載置部２７の基部２８が挿嵌され固定されている。なお、三脚台１１は、いずれかの脚部材１４の全体長さを変更することにより、床面の傾斜状態に合わせて支柱２１を鉛直方向に向けさせることができる。
【００１５】
容器載置部２７は、棒材の両端が同一方向に折り曲げられた一対の曲げ部２９を有する基部２８と、一対の曲げ部２９の先端に取り付けられて基部２８の長手方向に延びた薄肉の半円筒状で上方に開放状態で配設された第１及び第２載置部材３１，３３とを設けている。第１載置部材３１は、外側端（図示左端）が同一断面形状の半円形の封止板３２によって閉鎖されており、内側端（図示右端）は開放されている。封止板３２は、上縁の中央を中心として略半円形状に切欠かれた挿入凹部３２ａを設けている。第２載置部材３３は、両端が開放されている。第１及び第２載置部材３１，３３上には、円筒形で先端に細長く突出した吐出口３５ａを有する接着剤容器３５が載置される。接着剤容器３５は、柔軟な樹脂材料で形成されており、力を加えることにより内部に収容された粘度の高い接着剤を吐出口３５ａから吐出するようになっている。
【００１６】
つぎに、上記接着剤容器保持用台１０の操作について説明する。
接着剤容器保持用台１０を用いて、壁紙貼りつけ作業等のように、片手で接着剤容器３５を持ち、接着剤を吐出させて塗布し、さらに両手で壁面を整える場合に、支柱２１上端の第１及び第２載置部材３１，３３に載置された接着剤容器３５を、第１載置部材３１と第２載置部材３３の間の空間に手を差し込んで下側から接着剤容器３５の中間位置を把持して、そのまま作業を行うことができる。また、接着剤容器３５を使い終わったときは、第１及び第２載置部材３１，３３に簡単に載置することができる。
【００１７】
その結果、本実施例においては、接着剤容器３５の取り扱いが非常に簡易にされるため、作業の煩雑さが回避され、作業効率が高められる。また、第１及び第２載置部材３１，３３を所定角度に傾斜させることができ、下方に位置する第１載置部材３１の下端側を封止板３２で仕切ったことにより、接着剤容器３５先端の棒状の吐出口３５ａが封止板３２の凹部３２ａに嵌合されるため、接着剤容器３５が第１載置部材３１に緊密に接触して安定に載置されるため、接着剤容器３５の第１及び第２載置部材３１，３３からの脱落が避けられる。さらに、接着剤容器３５を吐出口３５ａを下にして傾斜させたことにより、内部に収容された接着剤が自然に吐出口側に移動するようになる。その結果、作業者が接着剤容器３５を手で把持したとき、接着剤容器３５内で接着剤が吐出口３５ａ近くに集められているため、接着剤を直ちに吐出させることができ、作業の効率が高められる。
【００１８】
また、支柱２１が、高さ調節可能であることにより、作業位置が高いところでも床面近くでも、高さに応じて支柱高さを調節することにより、作業位置の変化に容易に対応できる。また、三脚台１１を用いたことにより、支柱２１が三脚台１１により安定して支持されるため、接着剤容器３５の支持も安定して行われる。また、三脚台１１の脚部材１４の長さが調節可能であることにより、作業場所の床面が傾いているような場合でも、脚部材１４の長さを調節することにより、支柱２１を鉛直方向に向けさせることができる。
【００１９】
なお、上記実施例においては三脚台が用いられているが、これに代えて板状の台を用いることも可能である。また、実施例においては、接着剤容器によって説明されているが、これに代えて、建物の外壁のメジを塗布するためのコーキングガンを第１及び第２載置部材上に載置することもでき、これにより接着剤容器の場合と同様の効果が得られる。その他、上記実施例に示した接着剤容器保持用台については一例であり、本考案の趣旨を逸脱しない範囲において種々変更して実施することができる。
【産業上の利用可能性】
【００２０】
本考案の接着剤容器保持用台は、支柱上端側に設けた第１及び第２載置部材への接着剤容器の載置と取り外しが容易である、接着剤容器の取り扱いが非常に簡易にされて作業効率が高められ、また、接着剤容器を吐出口を下にして傾斜させることにより、内部に収容された接着剤が自然に吐出口側に移動するため、作業時に、吐出口近くに集められた接着剤を直ちに吐出させることができるので、有用である。
【図面の簡単な説明】
【００２１】
【図１】本考案の実施例である接着剤容器保持用台を示す正面図である。
【図２】同接着剤容器保持用台の容器載置部を拡大して示す一部破断正面図である。
【図３】同接着剤容器保持用台の容器載置部を拡大して示す平面図である。
【図４】同接着剤容器保持用台の容器載置部を拡大して示す左側面図である。
【符号の説明】
【００２２】
１０：接着剤容器保持用台、１１：三脚台、１４：脚部材、２１：支柱、２７：容器載置部、２８：基部、２９：曲げ部、３１：第１載置部材、３２：封止板、３３：第２載置部材、３５：接着剤容器。
【図１】
0003144912.tif 000003
【図２】
0003144912.tif 000004
【図３】
0003144912.tif 000005
【図４】
0003144912.tif 000006